(57)【要約】      （修正有）【課題】その包装に当って軽便な準備だけで、アルバム本体の外観形状をいわゆるギフトボックス様に維持でき、きわめて経済的な生産、提供、さらにはその継続的使用ができるアルバム式カタログオーダーギフトを提供する。【解決手段】カタログ等を挿脱可能に収納する複数の収納体２４を有する収納部２０を介在するとともに収納部の基部を係止して表表紙１２および裏表紙１６とからなるアルバム本体２２を形成し、収納部をその内部に挿脱可能に収容するとともに、その装着状態で表表紙および裏表紙を相互に平行に保持することができるカバー５０を設けて、表表紙が閉じられた状態のアルバム本体を緊締して、全体を一体化できるようにしたことを特徴とする。【選択図】図３
0003198775.tif 000002
【実用新案登録請求の範囲】
【請求項１】
透明面を有し、カタログ等を挿脱可能に収納する複数枚の収納体を有する収納部を中身として介在するとともに収納部の基部をその内側に係止した表表紙、背表紙、および裏表紙を有するアルバム本体と、前記収納部を取出し可能に内部に収容するとともに、その収容状態で前記表表紙および裏表紙を相互にほぼ平行に保持して前記アルバム本体とともに全体としてギフトボックスの外観を形成するカバーとを有することを特徴とするアルバム式カタログオーダーギフト。
【請求項２】
透明面を有し、カタログ等を挿脱可能に収納する複数枚の収納体を有する収納部を中身として介在するとともに収納部の基部をその内側に係止した表表紙、背表紙、および裏表紙を有するアルバム本体と、前記収納部を取出し可能に内部に収容するとともに、その収容状態で前記表表紙および裏表紙を相互にほぼ平行に保持して前記アルバム本体とともに全体としてギフトボックスの外観を形成するカバーと、このカバーに前記収納部が収容され、表表紙が閉じられた状態で、全体を緊締する結束体とを有することを特徴とするアルバム式カタログオーダーギフト。
【請求項３】
前記カバーは、収納部をその小口側から出し入れする一端開口と、収納部の天・小口・地の３方側端部を覆うとともに前記表表紙および裏表紙を相互に平行に保持する保持壁とを有する箱状であることを特徴とする前記請求項１、または２記載のアルバム式カタログオーダーギフト。
【請求項４】
前記結束体は、前記アルバム本体の表表紙の対角角部上面側に架け渡されて、前記アルバム本体とカバーとを一体に緊締する伸縮性の輪状結束体であることを特徴とする前記請求項２記載のアルバム式カタログオーダーギフト。
【請求項５】
前記輪状結束体は、前記アルバム本体の表表紙表側に位置することができる装飾リボンを有することを特徴とする請求項４記載のアルバム式カタログオーダーギフト。
【請求項６】
前記カバーは、組み立て分解可能に組立てられていることを特徴とする前記請求項１〜４のいずれか１項記載のアルバム式カタログオーダーギフト。
【考案の詳細な説明】
【技術分野】
【０００１】
この考案は、贈答人から、ギフト、すなわち贈り物商品を贈られた受領人が、受領したカタログに掲載された複数の商品の中から所望の商品を選ぶことができる、いわゆるカタログギフトとして好適なアルバム式カタログオーダーギフトであって、簡便な構成によって、いわゆるギフトボックスの外観を呈することができ、また使用後はアルバムとして使用することができるアルバム式カタログオーダーギフトに関する。
【背景技術】
【０００２】
例えば、結婚式や、披露宴の引き出物や出産祝いとして贈り物を贈答する場合、贈答人が自らの基準で商品（ギフト）を選択すると、受領人側としてはせっかく贈答されても不要に感じたり、気に入らないと感じるという場合がある。そのため、近年、ギフトを贈る贈答人が商品を選ぶのではなく、ギフトを贈られる受領人が、提示されたカタログに掲載された複数の商品の中から所望の商品を選ぶことができる、いわゆるカタログギフトが盛んに用いられるようになってきて久しい。
【０００３】
すなわち、カタログギフトは、贈答人に代ってギフト代行業者が、多数の商品およびこれらの商品に対応する商品番号が記載されたカタログをそれぞれの予算や目的等に応じて多数用意しておき、また、このカタログには、一般に、商品番号を記入してギフト代行業者に宛てて申込むための申込み葉書が添付されている。
【０００４】
贈答人は、その計画段階で、予算や目的に応じたカタログ範囲内の商品を複数選択するだけでよい。このような状況下で、受領人には、ギフト代行業者から前記選択可能な複数の商品が掲載されたカタログおよび申込み葉書等が配布される。そして、受領人は、この配布されたカタログに掲載されている商品の中から所望の商品を選択し、選択した商品に対応する商品番号を、添付されている申込み葉書に記入し、この葉書をギフト代行業者に郵送する。ギフト代行業者は、申込み葉書を受領すると、受領人が選択したギフトをこの受領人に配送する。これによって、受領人には、贈答人から所望の商品が贈られることとなる。
【０００５】
しかしながら、この種カタログギフトといえども、紙に印刷されたカタログのみが贈られるため、贈答人の気持ちやあたたかさが受領人に伝わりににくく、しかも、カタログギフトで使用される従来のカタログは、受領人が商品を選択した時点で不要となり破棄されてしまうことになる。したがって、カタログの使用終了後も、収容されていたカタログ等を破棄することによって、アルバムとしての継続的な使用が可能であるように、いわゆるアルバム式のカタログオーダーギフトが多用されてきている。
【０００６】
このようなアルバム式カタログオーダーギフトにあっては、一般的にアルバム本体の形状が、その構造上、表表紙および裏表紙が、その背から小口に向かって傾斜した外観を呈することとなるため、従来は、このアルバム本体をさらに別途用意した扁平な直方体のギフトボックスに収容することによって、外観からは直ちにアルバムであることを想定させないような配慮が必要であった。そのために、比較的高価なギフトボックスが別途必要となるばかりでなく、使用後はそのギフトボックスも不要品となるものであり、さらには、折角、アルバム本体表面に施されたデザイン等の装幀を贈答時に受領人に直ちに目視してもらうことができないという不合理があった。
【考案の概要】
【考案が解決しようとする課題】
【０００７】
この考案は、上記のような問題を解決するためになされたもので、カタログとして使用した後も受領人側でアルバムとして使用することができるアルバム式カタログオーダーギフトであって、その包装に当って、きわめて軽便な準備だけで、アルバム本体の外観形状をいわゆるギフトボックス様の扁平直方体の四角形状に維持できるとともに、本来そのアルバム本体が有している装飾的な外観を直接目視してもらうことができるように利用できるアルバム式カタログオーダーギフトを提供することを目的とする。
【課題を解決するための手段】
【０００８】
この考案は、透明面を有し、カタログ等を挿脱可能に収納する複数枚の収納体を有する収納部を中身として介在するとともに、収納部の基部をその内側に係止した表表紙、背表紙、および裏表紙を有するアルバム本体と、前記収納部を取出し可能に内部に収容するとともに、その収容状態で前記表表紙および裏表紙を相互に平行に保持して前記アルバム本体とともに全体としてギフトボックスの外観を形成するカバーとを有するアルバム式カタログオーダーギフトである。
【０００９】
したがって、その外観は、いわゆるギフトボックスの体をなすとともに、そのアルバム本体の表表紙、背表紙、裏表紙がギフトボックスの外表面を構成するために、それにふさわしい材料、デザインを選択することができ、そのままで受領人にはその外観を目視してもらうことができる。
【００１０】
また、この考案は、そのカバーに前記収納部が収容され、表表紙が閉じられた状態で、全体を緊締する結束体を有するアルバム式カタログオーダーギフトである。
【００１１】
さらには、前記カバーは、収納部をその小口側から出し入れする一端開口と、収納部の天・小口・地の３方側端部を覆うとともに前記表表紙および裏表紙を相互に平行に保持する保持壁を有する箱状であり、また、前記結束体は、前記アルバム本体の表表紙の対角角部上面側に架け渡されて、前記アルバム本体とカバーとを一体に緊締する伸縮性の輪状結束体であり、さらには、必要に応じて、この輪状結束体は、前記アルバム本体の表表紙表側に位置することができる装飾リボンを有するアルバム式カタログオーダーギフトである。
【００１２】
さらに、この考案によれば、このアルバム式カタログオーダーギフトは、カタログギフトとして使用された後も、通常のアルバムとして使用することができるものであり、さらにその後も前記カバーを装着しておくことによって、家庭内で室内に保管する場合にも、ギフトボックスの外観をもって使用し続けることができる。
【００１３】
したがって、アルバム式カタログオーダーギフトの生産、提供、使用にあたって、必ずしも格別な包装を用意する必要がないことから、きわめて経済的な生産、および提供、さらにはその継続的使用ができるものである。
【図面の簡単な説明】
【００１４】
【図１】図１は、この考案の一実施例を示すアルバム式カタログオーダーギフトの斜視図である。
【図２】図２は、図１の実施例におけるＩＩ−ＩＩ線に沿う断面図である。
【図３】図３は、アルバム本体の表表紙を半開きにし、カバーを引き出して、収納部をカバーから取出した状態を示す斜視図である。
【図４Ａ】図４Ａは、同実施例における収納体の第１ページ目を示す正面図である。
【図４Ｂ】図４Ｂは、同実施例における収納体の第２ページを示す正面図である。
【図４Ｃ】図４Ｃは、同実施例における収納体のカタログ等の一例を収納したページを示す正面図である。
【図５】図５は、この考案のアルバム式カタログオーダーギフトにおいてその全体を結束する伸縮性の輪状結束体を示す斜視図である。
【考案を実施するための形態】
【００１５】
以下、図を参照して、この考案を、結婚式や、披露宴の引出物用のアルバム式カタログオーダーギフトに適用した場合の実施例について説明する。
【００１６】
図１にその外観を示すとともに、図２にその断面図を示し、さらに図３にアルバム本体の表表紙を半開きにして、カバーを引き抜いて収納部を取出した状態を示している。
【００１７】
この考案のアルバム式カタログオーダーギフトは、例えば、略Ｂ５版程度の寸法のアルバム式カタログオーダーギフト１０が、表表紙１２、背表紙１４、裏表紙１６を、それぞれ耳１８を介して、折曲げ可能に連接するとともに、表表紙１２および裏表紙１６の間に、中身、すなわち、カタログ等の収納部２０を介在して配置してなるアルバム本体２２を有する。
【００１８】
すなわち、この収納部２０は、図２の断面図からも明らかなように、カタログ等の収納体２４が各ページを接して多数集積されたものであって、それぞれの収納体２４は、図示するように一般のアルバムの構成と同様に、表表紙１２の寸法よりやや小さい寸法に形成されている。そして、その収納体２４は、いわゆるポケットファイルアルバムのように、全体が透明なシート材で形成される四角い透明袋体で構成されるとともに、図４Ａ、４Ｂ、４Ｃに示されるように、その一面の上下にはそれぞれポケット２６および２８が形成され、その反対面も同様に構成されている。そして、この収納体２４は、前述したようにその各ページを接して多数集積された状態で、その基部３０を背表紙１４の内側に溶着等によって固定されて、背表紙１４がその基部３０を包むように配置される。さらに、通常のアルバムと同様に、アルバム本体２２の表表紙１２を開き、収納部２０の小口側を、めくり開くことによって収納体２４のポケット２６、２８内の後述するカタログ３２等を閲覧できるように構成されている。すなわち、ポケット２６、２８にはそれぞれその基部３０側に位置して開口２６Ａ、２８Ａが形成され、そのポケット２６、２８内にカタログ等を任意に挿脱することができるとともに、全体をいわゆるアルバムのように開いて閲覧することができるように構成される。
【００１９】
すなわち、各収納体２４には、図４Ａ、４Ｂ、４Ｃに明示されるように、このカタログギフトの目的に応じて、後述する所望の内容のカードやカタログが挿脱可能に収納される。
【００２０】
以下に、結婚式や披露宴のギフト、すなわち引出物の場合を例にとって説明すると、図４Ａに例示するように、収納体２４の第１ページには、その上ポケット２６にお祝い用のしとともに新郎新婦の名前が表示されたカード３４が、そして、その下ポケット２８には２人から来賓に対するお礼の言葉が記載されたカード３６が挿入されている。次いで、図４Ｂに例示するように、次ページの上ポケット２６には、このカタログギフトの編集目的である引出物のタイトルを表示したタイトルカード３８が配置される。このカード３８には、お礼の言葉に続いて、商品を送るメッセージが記載され、さらに下ポケット２８には、申込み用葉書４０が配置され、この申込み用葉書４０は、後述する商品情報カードの商品に対応する識別番号、すなわち商品番号、商品名等とともに届先の住所・氏名を記入して、この商品との引換えを申込むカード状の書面である。
【００２１】
このようなオーダー書類には、このカタログギフトの商品に対応する識別番号Ｎが付されており、申込み書面とカタログギフトとが一対一対応しており、例えば、ギフト代行業者がそのギフトの包装箱やカタログギフトに記載したり、手元データに記録しておくことによって、ギフト申込人とそのカタログギフトとの関係を把握できるようになっている。
【００２２】
さらに、図４Ｃに示されるように、このページに引き続くページのその上下半分には、商品カタログをなすカード４２、４４が配置される。この商品カタログ４２、４４は、ほぼ葉書大の寸法を有しており、披露宴の引出物として、適切な商品の写真が単独で、または必要に応じてモデルとともに掲載されている。
【００２３】
そして、これらの商品カタログ４２、４４は、引出物として適切である、例えば、数１０種が用意され、各カードには、商品名、素材、寸法、商品説明、製造国名、使用方法等が表示されて、受領人の選択に資するようになっている。
【００２４】
このようなカード、すなわち商品カタログ４２、４４は、その収納体２４の反対面にも同様に収容されて、それぞれその両面に配置されて商品の取り揃え量に対応して選択配置され、総計１０数枚から数１０枚が、そしてさらに、それに対応する枚数以上、すなわち後述するように後々アルバムとして使用するのに最適な量の空きポケットを有する収納体２４が同様に積層して用意されている。
【００２５】
なお、透明な収納体２４のポケット２６、２８には、さらに、例えば、最終ページには、贈答人から受領人へのメッセージを記載したメッセージカード等を収容するようにしてもよい。
【００２６】
以上のように、商品情報カードとオーダー書類とが組合されて、カタログセット商品、すなわちアルバム式カタログオーダーギフトが構成される。
【００２７】
ここで、このように構成されるアルバム本体２２には、図２、および図３に明示されるように、アルバム本体２２の中身である収納体２４を集積した状態の収納部２０に対して、カバー５０が挿脱可能に配置される。このカバー５０は、例えば紙製で、収納部２０を出し入れ可能な一端開口５２を有する扁平な直方体をなす箱状であって、その収納部２０の天・小口・地の３方側端部を覆うとともに、その壁部５４によって、表表紙１２および裏表紙１６を相互にほぼ平行に保持することができるものである。
【００２８】
したがって、図２、図３に示すように、カバー５０は、その一端開口５２から収納部２０の小口側を受け入れて収納部２０を収容して、最奥まで位置し、図１に示すようにアルバム本体２２の天・小口・地側にもその壁部５４が位置して収納部２０を覆い、表表紙１２を閉じた状態では、表表紙１２は裏表紙１６と相互にほぼ平行に保持され、アルバム本体２２を含めて、図１に最もよく示されているように、全体として扁平な直方体をなすギフトボックスの外観を呈することができる。
【００２９】
したがって、アルバム本体２２の表表紙１２、背表紙１４、裏表紙１６の外表面は、そのままギフトボックスの外表面をなし、さらにカバー５０の壁部５４も同様にギフトボックスの外表面をなして、全体としてギフトボックスの外形を構成して、ギフトボックスの外観を構成するものである。
【００３０】
このような構成のアルバム式カタログオーダーギフト１０は、その生産時には、前述したように、表表紙１２を開放した状態で、一端開口５２の扁平箱状のカバー５０によって、背表紙１４の内側に位置する集積状態の収納体２４からなる収納部２０をその一端開口から内部に挿入して収容し、その後、表表紙１２を閉じることによって表表紙１２はカバー５０上に保持され、その結果、表表紙１２は、裏表紙１６とほぼ平行に保持されて、カバー５０の壁部５４と相俟って、アルバム本体２２、すなわち、アルバム式カタログオーダーギフト１０全体は、あたかもそれ自体がギフトボックスであるような扁平な直方体を構成することとなる。
【００３１】
この状態から、図５にその全体を図示されているような、その一部をゴムのような伸縮部５６を有して構成した伸縮性の輪状の結束体、すなわち、結束バンド５８を使用して、アルバム本体２２の表表紙１２の対角角部上面側にこれを架け渡すことによって、図１に示すように、アルバム本体２２が、その表表紙１２、カバー５０、裏表紙１６が相互に結束されて一体化され、あたかもそれ自体が包装済みのギフトボックスの形態を呈するものとなる。結束バンド５８には、結束時に表表紙１２の表側に位置するようにリボン６０を配置してある。
【００３２】
もちろん、このような結束バンド５８に代えて、通常の輪状の伸縮性の結束バンド２本で十文字に結束するようにしてもよいし、さらには、粘着性のテープによって剥離可能に結束することもできる。
【００３３】
このカバー５０によって、例えば、輸送中に、収納部２０、収納体２４が自重により、基部３０を中心としてアルバム本体２２の天・地側に傾いて一部が突出してしまうことを防止することも可能である。
【００３４】
したがって、前述したように、アルバム本体２２の表表紙１２、背表紙１４、裏表紙１６の外面が、ギフトボックスの外表面をなすために、そのための材料、デザインがギフトボックスの外面として利用でき、格別な包装を施すことなくそのままで受領人に提供することができ、受領人にはその外観をも楽しんでもらうことができる。
【００３５】
また、表表紙１２には、例示していないが、このカタログオーダーギフトの編集目的を表わして、「御礼」、「出産祝い」等のタイトルが表記され、さらに、これに適切なメッセージ、絵柄等の所望の情報を記載したり、文字、言葉、絵柄等を彫りこんだ金具等の装飾部材を設置することも可能である。
【００３６】
さらに、裏表紙１６には、例えば、贈答人の名前、文字、言葉、絵柄等の所望の情報を記載することもできる。
【００３７】
したがって、アルバム式カタログオーダーギフトの生産にあたって、必ずしも格別な包装を用意する必要がないことから、きわめて経済的な生産、および提供ができるものである。
【００３８】
このように商品カタログ等が装填されたアルバム式カタログオーダーギフト１０は、贈答人からの指示により、受領人に配布されることになる。
【００３９】
受領人は、複数の商品カタログ等に記載されたそれぞれの商品の中から所望の商品を選択して、その商品に対応する識別番号、すなわち商品番号および商品名に対応する、その他の必要事項を記入して投函することによって、申込み手続を終了する。
【００４０】
ギフト代行業者は、この申込み用葉書の着信を得て該当商品を配送することとなるが、贈答人から照会があったときには、この申込み用葉書の情報、すなわち、識別番号によって申込まれた商品、申込み時期等に基づいて対応することができる。
【００４１】
次に、このギフトの受領人は、この申込み手続の終了後、または、その商品の受領後には、このギフトのアルバム本体を、通常のアルバムとしてとして使用することができるものである。すなわち、受領人は、アルバム式ギフトに残された商品情報カード等不要なものを廃棄することによって、通常のアルバムとして使用することができるものである。さらに、アルバム本体をカバーとともに使用すればギフトボックス様のまま室内に置いて使用することも可能である。
【００４２】
なお、前記各収納体には、台紙を配置しておくことも可能であり、特にアルバムとして使用する場合には、写真の台紙としてそのまま使用することができる。
【００４３】
以上の説明は、カタログギフトの編集目的として、披露宴の引出物を想定した実施形態についてのものであったが、その他、個別の出産祝い、入学祝い、誕生日祝い等にも適用可能であり、ギフトボックスとしての外形を呈することができることから、受領人に期待をもって受領してもらうことができる。したがって、その受領人が選択した商品だけでなく、アルバム本体もアルバムとして記念の品となるばかりでなく、通常のアルバムとして使用してもらうことができる。
【００４４】
なお、透明収納体２４は、必要に応じて、１ページ分全体を使用したり、さらには、左右に２分して構成することも可能である。
【００４５】
また、前記申込み手段は、申込み用葉書の場合について説明したが、これに限定されるものではなく、所望の商品に対応する識別番号、すなわち、商品番号および商品名を記載してオーダーすることができるものであればよく、封書の郵便等であってもよい。さらにこの申込み手段は、透明な収納体に収納してセットする必要はなく、独立して巻頭または巻末、あるいは表表紙、裏表紙の内側に位置して設置しておくこともできる。
【００４６】
前記実施例においては、カバー５０は、糊付け等によって箱状に形成された構成を想定したが、組立て分解可能な型紙構造を採用することによって、例えば裏表紙に面する１面の天・小口・地の３側縁に折込み線を有して壁部となるフラップを連接するとともに、１側に表表紙に面する１面を連接しておき、収容部２０の収容に当って組立てて収容するような、組み立て分解可能な構成も可能であり、組立て前の平坦な材料の状態で搬送する場合には搬送コストが軽減され、ギフト生産時に組立てて容易に装填することができ、使用後には容易に分解して破棄することもできる。
【００４７】
また、カバー５０の最低限必要な機能は、アルバム本体の表表紙１２を閉じた状態で、アルバムの中身、すなわち収納部２０の天・小口・地の３側面がカバーされ、かつ、表表紙と裏表紙とが相互にほぼ平行に保持されて、外観が全体としてギフトボックスの形状を呈するようにすることであるので、表表紙・裏表紙と接するカバー面はその一部分を切除して、収容部２０の第１面が目視できるようにすることも可能である。そして、カバー５０の壁部５４の表面には、適切な図柄等、所望の装飾を施すこともできる。
【００４８】
また、カバー５０内に芳香剤等を設置することによって、受領人がカバー５０を引出して収納部を開放したときに芳しい香りが漂うように仕組むことも可能である。
【符号の説明】
【００４９】
１０…アルバム式カタログオーダーギフト、 １２…表表紙、  １４…背表紙、  
１６…裏表紙、  １８…耳、  ２０…収納部、  ２２…アルバム本体、  ２４…収納体、  ２６…ポケット、  開口…２６Ａ、  ２８…ポケット、  開口…２８Ａ、  ３０…基部、  ３４…カード、  ３６…カード、  ３８…カード、  ４０…申込み用葉書、  ４２…商品カタログ、  ４４…商品カタログ、  ５０…カバー、  ５２…一端開口、  ５４…壁部、  ５６…伸縮部、  ５８…結束体、  ６０…リボン
【図１】
0003198775.tif 000003
【図２】
0003198775.tif 000004
【図３】
0003198775.tif 000005
【図４Ａ】
0003198775.tif 000006
【図４Ｂ】
0003198775.tif 000007
【図４Ｃ】
0003198775.tif 000008
【図５】
0003198775.tif 000009